(57)【要約】【課題】モニタに表示を所望する歌詞テロップの言語数が多くなっても、それら多くの言語にて構成された歌詞テロップをモニタに見やすく表示すること。【解決手段】歌詞テロップの種別が少ないときにはリモコン端末５の表示部５８の表示エリアをその長辺が横方向となるようにしてその長辺に沿って歌詞テロップを並行して表示させ、歌詞テロップの種別が多いときには上述の表示エリアをその短辺が横方向となるようにしてその短辺に沿って歌詞テロップを並行して表示させる。このことにより、リモコン端末５の表示部５８に表示を所望する歌詞テロップの言語数が多くなっても、それら多くの言語にて構成された歌詞テロップを表示部５８に見やすく表示することができる。【選択図】図７
2008216312.tif 000002
【特許請求の範囲】
【請求項１】
カラオケ演奏を行うカラオケ装置と、前記カラオケ装置を第１ネットワークを介してユーザから操作可能とする入力機能を有し、前記カラオケ装置もしくはホストサーバからの情報表示機能を有するリモコンとが、第２ネットワークを介して前記ホストサーバと通信可能に接続されたカラオケネットワークシステムであって、
前記ホストサーバは、
ユーザから前記入力機能を介して前記リモコンから提供されるユーザ提供情報、およびユーザの母国語の種別を示す母国語情報を少なくとも含むユーザごとの個人用情報を記憶する個人用情報記憶手段と、
前記リモコンを介して前記ホストサーバに接続するユーザへの認証と前記認証の終了とを行い、当該認証したユーザに対して、前記認証の終了までの認証中には当該システムの利用開始を前記リモコンに対して許可する認証手段と、
前記個人用情報記憶手段に記憶されている個人用情報のうち認証中のユーザに関する個人用情報を、前記リモコンからの要求に基づいて閲覧可能な情報として配信する配信手段と、を備え、
前記カラオケ装置は、
認証中のユーザによるカラオケ演奏曲の予約を受け付ける予約受付手段と、
オリジナル言語にて構成された歌詞テロップおよび異なる種別の言語にてそれぞれ構成された複数種別の歌詞テロップを示す歌詞テロップ情報を含むカラオケ演奏曲を一つ以上記憶する演奏曲記憶手段と、
前記予約受付手段が受け付けたユーザによるカラオケ演奏曲の予約に基づき、前記演奏曲記憶手段からカラオケ演奏曲を読み出してカラオケ演奏するカラオケ演奏手段と、
前記歌詞テロップを表示可能な装置側表示手段と、
前記カラオケ演奏曲に含まれる歌詞テロップ情報のうちオリジナル言語にて構成された歌詞テロップを、前記カラオケ演奏手段によるカラオケ演奏に合わせて前記装置側表示手段に表示させる装置側表示制御手段と、を備え、
前記リモコンは、
前記歌詞テロップを表示可能な略長方形の表示領域を有する端末側表示手段と、
前記ホストサーバから受信した認証中のユーザに関する個人用情報のうち前記予約受付手段に予約を行ったユーザ以外の認証中のユーザに関する母国語情報に基づき、前記演奏曲記憶手段から読み出したカラオケ演奏曲に含まれる複数種別の歌詞テロップのうち前記予約受付手段に予約を行ったユーザ以外の認証中のユーザの母国語と同一の言語で構成された歌詞テロップを前記カラオケ装置から取得し、その取得した歌詞テロップを、前記カラオケ装置の前記カラオケ演奏手段によるカラオケ演奏に合わせて前記端末側表示手段の表示領域に表示させる端末側表示制御手段と、を備え、
前記リモコンの前記端末側表示制御手段は、前記端末側表示手段に表示させる歌詞テロップの種別の数量が閾値以上であるか否かを判断し、前記端末側表示手段に表示させる歌詞テロップの種別の数量が閾値以上である場合には前記端末側表示手段の表示領域における短辺を横方向としてその短辺に沿って各歌詞テロップを並行して表示させ、一方、前記端末側表示手段に表示させる歌詞テロップの種別の数量が閾値未満である場合には前記端末側表示手段の表示領域における長辺を横方向としてその長辺に沿って各歌詞テロップを並行して表示させること
を特徴とするカラオケネットワークシステム。
【請求項２】
請求項１に記載のカラオケネットワークシステムにおいて、
前記リモコンの前記端末側表示制御手段は、複数種別の歌詞テロップを前記端末側表示手段の表示領域に並行して表示させる際には、その言語を母国語とする認証中のユーザがより多い言語にて構成された歌詞テロップほど前記表示領域の縦方向における上方となるように配置することを特徴とするカラオケネットワークシステム。
【請求項３】
請求項１または請求項２に記載のカラオケネットワークシステムにおいて、
前記リモコンの前記端末側表示制御手段は、複数種別の歌詞テロップを前記端末側表示手段の表示領域に並行して表示させる場合において、当該リモコンを操作中のユーザが存在するときには、そのユーザの母国語にて構成された歌詞テロップを、前記表示領域の縦方向における最も上位に配置することを特徴とするカラオケネットワークシステム。
【請求項４】
請求項１〜請求項３の何れかに記載のカラオケネットワークシステムにおいて、
前記カラオケ装置の前記装置側表示制御手段は、前記予約受付手段に予約を行ったユーザに関する個人用情報に含まれる母国語情報を取得し、その取得した母国語情報に基づき、前記演奏曲記憶手段から読み出したカラオケ演奏曲に含まれる複数種別の歌詞テロップのうち当該ユーザの母国語と同一の言語で構成された歌詞テロップを、前記カラオケ演奏曲に含まれる歌詞テロップ情報のうちオリジナル言語にて構成された歌詞テロップとともに、前記カラオケ演奏手段によるカラオケ演奏に合わせて前記装置側表示手段の表示領域に表示させること
を特徴とするカラオケネットワークシステム。
【請求項５】
請求項４に記載のカラオケネットワークシステムにおいて、
前記カラオケ装置の前記装置側表示制御手段は、前記予約受付手段に予約を行ったユーザの母国語と同一の言語で構成された歌詞テロップを前記カラオケ演奏曲に含まれる歌詞テロップ情報のうちオリジナル言語にて構成された歌詞テロップとともに前記装置側表示手段の表示領域に表示させる際には、当該予約を行ったユーザの母国語にて構成された歌詞テロップを、前記オリジナル言語にて構成された歌詞テロップよりも小さい文字にてその上方または下方に表示すること
を特徴とするカラオケネットワークシステム。
【請求項６】
請求項１〜請求項３の何れかに記載のカラオケネットワークシステムにおいて、
前記カラオケ装置の前記装置側表示制御手段は、その言語を母国語とする認証中のユーザが最も多い言語にて構成された歌詞テロップを、前記カラオケ演奏曲に含まれる歌詞テロップ情報のうちオリジナル言語にて構成された歌詞テロップとともに、前記カラオケ演奏手段によるカラオケ演奏に合わせて前記装置側表示手段の表示領域に表示させることを特徴とするカラオケネットワークシステム。
【請求項７】
請求項６に記載のカラオケネットワークシステムにおいて、
前記カラオケ装置の前記装置側表示制御手段は、その言語を母国語とする認証中のユーザが最も多い言語にて構成された歌詞テロップを前記カラオケ演奏曲に含まれる歌詞テロップ情報のうちオリジナル言語にて構成された歌詞テロップとともに前記装置側表示手段の表示領域に表示させる際には、その言語を母国語とする認証中のユーザが最も多い言語にて構成された歌詞テロップを、前記オリジナル言語にて構成された歌詞テロップよりも小さい文字にてその上方または下方に表示することを特徴とするカラオケネットワークシステム。
【発明の詳細な説明】
【技術分野】
【０００１】
本発明は、モニタに表示を所望する歌詞テロップの言語数が多くなっても、それら多数の言語にて構成された歌詞テロップをモニタに見やすく表示する技術に関する。
【背景技術】
【０００２】
従来より、カラオケの歌詞を示す歌詞テロップとカラオケの背景映像とをモニタ画面に表示し、再生したカラオケ曲及びマイク音声をスピーカから出力するカラオケ装置が知られている。
【０００３】
このようなカラオケ装置の中には、２ヶ国語の歌詞テロップをモニタに表示するカラオケ装置（例えば、特許文献１参照。）や、複数のモニタそれぞれに異なる言語の歌詞テロップを表示するカラオケ装置がある（例えば、特許文献２参照。）。
【０００４】
また、画像信号の種類に応じて画面の縦横方向を切り替わる構成を備える画像表示装置が知られている（例えば、特許文献３参照。）。
【特許文献１】特開平１０−２０８７０号公報（第３頁、図３，４）
【特許文献２】特開２００１−５４６６号公報（第４頁、図３）
【特許文献３】特開平０５−３０７３７７号公報（第３，４頁、図３，６）
【発明の開示】
【発明が解決しようとする課題】
【０００５】
しかし、上述のようなカラオケ装置においては、同時に認証するユーザが多くなるにしたがって所望の歌詞テロップの言語数も多くなり、それら多数の言語にて構成された歌詞テロップをモニタに表示することが困難となるという問題があった。
【０００６】
なお、上述の画像表示装置においては、例えばその画像データが横長であるか縦長であるかといった画像信号の種類に応じて画面の縦横方向を切り替わるために、この画像表示装置をカラオケ装置のモニタとして利用しても上述の問題が生じ得る。
【０００７】
本発明は、このような不具合に鑑みなされたものであり、その目的とするところは、モニタに表示を所望する歌詞テロップの言語数が多くなっても、それら多くの言語にて構成された歌詞テロップをモニタに見やすく表示する技術を提供することにある。
【課題を解決するための手段】
【０００８】
上記課題を解決するためになされた請求項１に係るカラオケネットワークシステムは、歌詞テロップの種別が少ないときには略長方形の表示領域をその長辺が横方向となるようにしてその長辺に沿って歌詞テロップを並行して表示させ、歌詞テロップの種別が多いときには略長方形の表示領域をその短辺が横方向となるようにしてその短辺に沿って歌詞テロップを並行して表示させることを特徴とする。
【０００９】
具体的には、上述のカラオケネットワークシステムは、カラオケ演奏を行うカラオケ装置と、カラオケ装置を第１ネットワークを介してユーザから操作可能とする入力機能を有し、カラオケ装置もしくはホストサーバからの情報表示機能を有するリモコンとが、第２ネットワークを介してホストサーバと通信可能に接続されたカラオケネットワークシステムである。
【００１０】
このうちホストサーバは、ユーザから前記入力機能を介してリモコンから提供されるユ
ーザ提供情報、およびユーザの母国語の種別を示す母国語情報を少なくとも含むユーザごとの個人用情報を記憶する個人用情報記憶手段と、リモコンを介してホストサーバに接続するユーザへの認証と認証の終了とを行い、当該認証したユーザに対して、認証の終了までの認証中には当該システムの利用開始をリモコンに対して許可する認証手段と、個人用情報記憶手段に記憶されている個人用情報のうち認証中のユーザに関する個人用情報を、リモコンからの要求に基づいて閲覧可能な情報として配信する配信手段と、を備えている。
【００１１】
また、カラオケ装置は、認証中のユーザによるカラオケ演奏曲の予約を受け付ける予約受付手段と、オリジナル言語にて構成された歌詞テロップおよび異なる種別の言語にてそれぞれ構成された複数種別の歌詞テロップを示す歌詞テロップ情報を含むカラオケ演奏曲を一つ以上記憶する演奏曲記憶手段と、予約受付手段が受け付けたユーザによるカラオケ演奏曲の予約に基づき、演奏曲記憶手段からカラオケ演奏曲を読み出してカラオケ演奏するカラオケ演奏手段と、歌詞テロップを表示可能な装置側表示手段と、カラオケ演奏曲に含まれる歌詞テロップ情報のうちオリジナル言語にて構成された歌詞テロップを、カラオケ演奏手段によるカラオケ演奏に合わせて装置側表示手段に表示させる装置側表示制御手段と、を備えている。
【００１２】
さらに、リモコンは、歌詞テロップを表示可能な略長方形の表示領域を有する端末側表示手段と、ホストサーバから受信した認証中のユーザに関する個人用情報のうち予約受付手段に予約を行ったユーザ以外の認証中のユーザに関する母国語情報に基づき、演奏曲記憶手段から読み出したカラオケ演奏曲に含まれる複数種別の歌詞テロップのうち予約受付手段に予約を行ったユーザ以外の認証中のユーザの母国語と同一の言語で構成された歌詞テロップをカラオケ装置から取得し、その取得した歌詞テロップを、カラオケ装置のカラオケ演奏手段によるカラオケ演奏に合わせて端末側表示手段の表示領域に表示させる端末側表示制御手段と、を備えている。そして、リモコンの端末側表示制御手段が、端末側表示手段に表示させる歌詞テロップの種別の数量が閾値以上であるか否かを判断する。端末側表示手段に表示させる歌詞テロップの種別の数量が閾値以上である場合には、端末側表示制御手段が、端末側表示手段の表示領域における短辺を横方向としてその短辺に沿って各歌詞テロップを並行して表示させる。一方、端末側表示手段に表示させる歌詞テロップの種別の数量が閾値未満である場合には、端末側表示制御手段が、端末側表示手段の表示領域における長辺を横方向としてその長辺に沿って各歌詞テロップを並行して表示させる。
【００１３】
このように構成された本発明のカラオケネットワークシステムによれば、歌詞テロップの種別が少ないときには略長方形の表示領域をその長辺が横方向となるようにしてその長辺に沿って歌詞テロップを並行して表示させ、歌詞テロップの種別が多いときには略長方形の表示領域をその短辺が横方向となるようにしてその短辺に沿って歌詞テロップを並行して表示させる。このことにより、モニタなどの表示手段に表示を所望する歌詞テロップの言語数が多くなっても、それら多くの言語にて構成された歌詞テロップを表示手段に見やすく表示することができる。
【００１４】
換言すれば、認証中のユーザが多いためにそれら認証中のユーザの母国語の種類が多くても、より多くの種別の言語の歌詞テロップを表示することで、カラオケ演奏中のカラオケ演奏曲の歌詞の意味を理解することができ、より多くの認証中のユーザが他のユーザのカラオケ演奏および歌唱を楽しむことができる。
【００１５】
なお、上述のように複数種別の歌詞テロップを端末側表示手段の表示領域に並行して表示させる際には、（イ）その言語を母国語とする認証中のユーザがより多い言語の歌詞テロップほど表示領域の縦方向における上方となるように配置することが考えられる。具体
的には、請求項２のように、リモコンの端末側表示制御手段が、複数種別の歌詞テロップを端末側表示手段の表示領域に並行して表示させる際には、その言語を母国語とする認証中のユーザがより多い言語にて構成された歌詞テロップほど表示領域の縦方向における上方となるように配置することが考えられる。
【００１６】
このように構成すれば、例えば認証中のユーザが多いためにそれらユーザの母国語の種類が多くても、その言語を母国語とする認証中のユーザがより多い言語の歌詞テロップほど表示領域の縦方向における上方となるように配置することで、より多くの認証中のユーザが他のユーザのカラオケ演奏および歌唱を楽しむことができる。
【００１７】
また、リモコンを操作中のユーザがカラオケ演奏中のカラオケ演奏曲に最も興味を持っていると想定されることから、上述のように複数種別の歌詞テロップを端末側表示手段の表示領域に並行して表示させる際には、（ロ）リモコンを操作中のユーザの母国語にて構成された歌詞テロップが表示領域の縦方向における上方となるように配置することが考えられる。具体的には、請求項３のように、複数種別の歌詞テロップを端末側表示手段の表示領域に並行して表示させる場合において、当該リモコンを操作中のユーザが存在するときには、リモコンの端末側表示制御手段が、そのユーザの母国語にて構成された歌詞テロップを、前記表示領域の縦方向における最も上位に配置することが考えられる。
【００１８】
このように構成すれば、そのユーザの母国語にて構成された歌詞テロップを表示領域の縦方向における最も上位に配置することで、そのユーザがカラオケ演奏および歌唱を楽しむことができる。
【００１９】
ところで、上述のようにカラオケ装置の装置側表示装置にオリジナル言語の歌詞テロップを表示する際には、（ハ）オリジナル言語の歌詞テロップとともに歌唱者の母国語の歌詞テロップを表示することが考えられる。具体的には、請求項４のように、カラオケ装置の装置側表示制御手段が、予約受付手段に予約を行ったユーザに関する個人用情報に含まれる母国語情報を取得し、その取得した母国語情報に基づき、演奏曲記憶手段から読み出したカラオケ演奏曲に含まれる複数種別の歌詞テロップのうち当該ユーザの母国語と同一の言語で構成された歌詞テロップを、カラオケ演奏曲に含まれる歌詞テロップ情報のうちオリジナル言語にて構成された歌詞テロップとともに、カラオケ演奏手段によるカラオケ演奏に合わせて装置側表示手段の表示領域に表示させることが考えられる。
【００２０】
このように構成すれば、例えば歌唱者の母国語がカラオケ演奏曲のオリジナル言語とは異なる場合に、歌唱者がそのカラオケ演奏曲を歌いやすくすることができる。
なおこの場合、歌唱者の母国語の歌詞テロップを、オリジナル言語の歌詞テロップよりも小さい文字でその上方または下方に表示することが考えられる。具体的には、請求項５のように、カラオケ装置の装置側表示制御手段が、予約受付手段に予約を行ったユーザの母国語と同一の言語で構成された歌詞テロップをカラオケ演奏曲に含まれる歌詞テロップ情報のうちオリジナル言語にて構成された歌詞テロップとともに装置側表示手段の表示領域に表示させる際には、当該予約を行ったユーザの母国語にて構成された歌詞テロップを、オリジナル言語にて構成された歌詞テロップよりも小さい文字にてその上方または下方に表示することが考えられる。
【００２１】
このように構成すれば、歌唱者の母国語と同一の言語にて構成された歌詞テロップを見るユーザよりもオリジナル言語にて構成された歌詞テロップを見る認証中のユーザの方が多数である場合でも、それら多数のユーザがカラオケ演奏および歌唱を楽しむことができる。
【００２２】
また、上述のようにカラオケ装置の装置側表示装置にオリジナル言語の歌詞テロップを表示する際には、（ニ）オリジナル言語の歌詞テロップとともに、その言語を母国語とする認証中のユーザが最も多い言語の歌詞テロップを表示することが考えられる。具体的には、請求項６のように、カラオケ装置の装置側表示制御手段が、その言語を母国語とする認証中のユーザが最も多い言語にて構成された歌詞テロップを、カラオケ演奏曲に含まれる歌詞テロップ情報のうちオリジナル言語にて構成された歌詞テロップとともに、カラオケ演奏手段によるカラオケ演奏に合わせて装置側表示手段の表示領域に表示させることが考えられる。
【００２３】
このように構成すれば、その言語を母国語とする認証中のユーザが最も多い言語がカラオケ演奏曲のオリジナル言語とは異なる場合でも、それら多数のユーザがカラオケ演奏および歌唱を楽しむことができる。
【００２４】
なおこの場合、その言語を母国語とする認証中のユーザが最も多い言語の歌詞テロップを、オリジナル言語の歌詞テロップよりも小さい文字でその上方または下方に表示することが考えられる。具体的には、請求項７のように、カラオケ装置の装置側表示制御手段が、その言語を母国語とする認証中のユーザが最も多い言語にて構成された歌詞テロップをカラオケ演奏曲に含まれる歌詞テロップ情報のうちオリジナル言語にて構成された歌詞テロップとともに装置側表示手段の表示領域に表示させる際には、その言語を母国語とする認証中のユーザが最も多い言語にて構成された歌詞テロップを、オリジナル言語にて構成された歌詞テロップよりも小さい文字にてその上方または下方に表示することが考えられる。
【００２５】
このように構成すれば、その言語を母国語とする認証中のユーザが最も多い言語がカラオケ演奏曲のオリジナル言語とは異なる場合でも、それら多数のユーザがカラオケ演奏および歌唱を楽しむことができ、且つ歌唱者がそのカラオケ演奏曲を歌いやすくすることができる。
【発明を実施するための最良の形態】
【００２６】
以下、本発明の実施形態を図面に基づいて説明する。
［第一実施形態］
図１は、インターネット２００を利用したカラオケネットワークシステム１の概略構成を示すブロック図である。
【００２７】
［カラオケネットワークシステム１の構成の説明］
図１に示すように、カラオケネットワークシステム１は、Ｗｅｂサーバ２ａとデータベース２ｂとを備えるカラオケ用ホストサーバ２、及びＷｅｂサーバ３ａを備えるインターネット用ホストサーバ３に対して、カラオケ店等の各カラオケルームに設置されるカラオケ装置４と、カラオケ装置４を操作するためのリモコン端末５と、パーソナルコンピュータ（以下、パソコン）６ａ及び携帯電話６ｂ等の情報端末からなるユーザ端末６とがインターネット２００を介して通信可能に構成されることによって形成されている。
【００２８】
カラオケ用ホストサーバ２は、カラオケ店等に設置されているカラオケ装置４に対して楽曲データやカラオケ装置４からユーザへ提供するためのコンテンツデータ等を配信するためのカラオケサービス用のホストサーバである。カラオケ用ホストサーバ２は、ホストサーバ側のルータ１３０とカラオケ店側のルータ１２０との間でインターネットネットワーク２００上に形成されるＶＰＮ（virtual private network）を介して、カラオケ店側
のＬＡＮ１００に接続されている。つまり、カラオケ用ホストサーバ２と、カラオケ装置４及びリモコン端末５との間の通信は、インターネット２００上のＶＰＮ及びカラオケ店側のＬＡＮ１００を介して行われる。
【００２９】
さらに、本カラオケネットワークシステム１において、カラオケ用ホストサーバ２は、本システムを利用する権限を有するユーザに関する登録情報を蓄積するユーザ登録データベース２ｃや、登録されているユーザのカラオケ歌唱に関する情報及び当該ユーザから提供される情報等をインターネット２００上で公開するための個人用Ｗｅｂページのデータを蓄積する個人用Ｗｅｂページデータベース２ｄ、カラオケ装置４へ送信することでカラオケ装置４側での楽曲のカラオケ演奏に用いるカラオケ曲情報等を有するデータベース２ｂを備えている。そして、カラオケ用ホストサーバ２が備えるＷｅｂサーバ２ａは、このデータベース２ｂと連携しており、カラオケ店側のリモコン端末４等からの要求に応じて、カラオケネットワークシステム１を利用するためにログインしようとするユーザに対する認証や、ログインしたユーザに対する個人用Ｗｅｂページの配信・更新サービスを行う。すなわち、ここでいう連携とは、ユーザ認証及び個人用Ｗｅｂページの配信をＷｅｂサーバ２ａが行うために、データベース２ｄ内に格納されたデータを参照したり、Ｗｅｂサーバ２ａが受け付けた個人用Ｗｅｂページ更新のデータをデータベース２ｂに反映させたりすることで、Ｗｅｂサーバ２ａが行う前記サービスに利用するためのデータと、データベース２ｂとが対応していることを指す。
【００３０】
インターネット用ホストサーバ３は、Ｗｅｂサーバ３ａを介してパソコン６ａや携帯電話６ｂ等の情報端末（以下、これらを総称する場合はユーザ端末６ともいう）に対してインターネット２００を介して情報の送信をするためのホストサーバである。また、インターネット用ホストサーバ３は、適宜な通信回線を介してカラオケ用ホストサーバ２と通信可能に構成されている。
【００３１】
インターネット用ホストサーバ３が備えるＷｅｂサーバ３ａは、カラオケ用ホストサーバ２が備えるデータベース２ｂと（上述のＷｅｂサーバ２ａと同様に）連携しており、ユーザ端末６からの要求に応じて、カラオケ用ホストサーバ２が備えるＷｅｂサーバ２ａと同様にカラオケネットワークシステム１を利用するためにログインしようとするユーザに対する認証や、ログインしたユーザに対する個人用Ｗｅｂページの配信・更新サービスを行う。
【００３２】
パソコン６ａは、十分な処理能力を有する通常のコンピュータであり、適宜な通信回線を介してインターネット２００に接続されている。また、パソコン６ａは、インターネット２００を介して受信したＷｅｂページを閲覧したり、ユーザが画面上で情報や操作指示を入力したり、アニメーション等を表示するためのアプリケーションを動作させたりするための、いわゆるＷｅｂブラウザ機能を有するソフトウェアを備えている。
【００３３】
携帯電話６ｂは、携帯電話事業者が提供する通信回線を介してインターネット２００に接続可能ないわゆる第３世代以降の携帯電話であり、電話をかける・受けるといった通話機能以外に、インターネット２００を介して受信したＷｅｂページを画面で閲覧したり、ユーザが画面上で情報や操作指示を入力したり、アニメーション等を表示するためのアプリケーションを動作させたりするためのＷｅｂブラウザ機能を有するソフトウェアを備えている。
【００３４】
パソコン６ａ及び携帯電話６ｂ等からなるユーザ端末６は、インターネット２００を介してインターネット用ホストサーバ３内のＷｅｂサーバ３ａへアクセスし、Ｗｅｂサーバ３ａから受信したデータに基づいて個人用Ｗｅｂページの閲覧・更新を行うための各種処理を実行する。
【００３５】
［カラオケ装置４の構成の説明］
図２は、カラオケ店等のカラオケルーム内に設置されているカラオケ装置４及びリモコ
ン端末５のより具体的な構成を示すブロック図である。
【００３６】
カラオケ装置４は、カラオケを利用するユーザから指定された楽曲のカラオケ演奏を行うためのものであり、図２に示すように、カラオケ装置４全体の作動を制御する制御部１２、カラオケ装置４をＬＡＮ１００に接続するためのインタフェース部１４、演奏楽曲の伴奏内容及び歌詞を示す楽曲データや映像データ等のコンテンツデータ、カラオケ装置４が作動するためのプログラム等を記憶するハードディスク（ＨＤＤ）１６、複数のキースイッチからなり、曲の予約操作等を行うための操作部１８、リモコン端末５や携帯電話６等から送信された赤外線信号を、赤外線通信規格（ＩｒＤＡ（登録商標））又はリモコン端末５とカラオケ装置４との二者間において予め設定された通信条件に従って受信するための赤外線通信部２０、操作部１８からの信号を処理する操作処理部２２、マイクロフォン２６、ＨＤＤ１６に記憶された演奏データ（ＭＩＤＩデータ）に基づく演奏再生を行うＭＩＤＩ音源３０、ＭＩＤＩ音源３０から出力されたデジタル信号から演奏楽曲のオーディオ信号（音響、音声に関する信号）を生成し、生成されたオーディオ信号及びマイクロフォン２６から入力されたオーディオ信号を増幅してスピーカ２８へ出力する音声制御部２４、画像データを一時的に記憶するビデオＲＡＭ３２、ビデオＲＡＭ３２に記憶された画像データに基づく映像の再生を制御する映像再生部３４、映像再生部３４により再生される映像のモニタ３６での表示を制御する映像制御部３８、半導体素子を利用した書き換え可能な記憶媒体であるメモリ４０などを備えている。
【００３７】
また、メモリ４０には、図８（ｂ）に例示するような予約リストが記憶されている。この予約リストは、演奏順、予約曲番号、予約曲を予約したユーザのユーザＩＤ、予約曲を予約したユーザの母国語、キーの高さを示す情報などを含むレコードが登録されている。
【００３８】
また、制御部１２は、演奏中の楽曲に対応するユーザの個人用Ｗｅｂページに対する更新を禁止するための指示をリモコン端末５に対して送信したり、ユーザの行った歌唱に関する情報をカラオケ用ホストサーバ２へ送信したりする処理などを実行する。
【００３９】
［リモコン端末５の構成の説明］
リモコン端末５は、カラオケルーム内で使用されるためのものであり、演奏楽曲の予約等をするための操作を利用者から受け付け、その操作信号をカラオケ装置４に送信する機能を有する。また、リモコン端末５は、アクセスポイント１１０経由でＬＡＮ１００及びインターネット２００上のＶＰＮを介してカラオケ用ホストサーバ２へアクセスし、カラオケ用ホストサーバ２から受信したデータに基づいて個人用Ｗｅｂページの閲覧・更新するための機能も有する。
【００４０】
具体的にリモコン端末５は、図２に示すように、リモコン端末５全体の作動を制御する制御部５２、赤外線通信規格（ＩｒＤＡ）又はリモコン端末５とカラオケ装置４との二者間において予め設定された通信条件に従ってカラオケ装置４に赤外線信号を送信する赤外線通信部５４、リモコン端末５が作動するためのプログラム等の各種情報を記憶するメモリ５６、表示部５８の表示領域に沿って設置されるタッチパネル及び複数のキースイッチからなり、利用者からの操作を受け付ける操作部６０、操作部６０からの信号を処理する操作処理部６２、画像データを一時的に記憶するビデオＲＡＭ６４、ビデオＲＡＭ６４に記憶された画像データの表示部５８での表示を制御する映像制御部６６、ＬＡＮ１００に接続されたアクセスポイント１１０との間で無線ＬＡＮ規格（例えば、ＩＥＥＥ８０２．１１ａ／ｂ／ｇ規格，ＨｏｍｅＲＦ規格，Ｂｌｕｅｔｏｏｔｈ規格など）に従った無線通信を行うための無線ＬＡＮ通信部６８などを備えている。
【００４１】
このうち、制御部５２は、利用者から曲の予約をするための操作入力を受け付け、選択された曲の曲番号に、予約者（即ち、歌唱する人）のユーザＩＤを付加した予約データを
カラオケ装置４へ送信する処理を実行する。また、制御部５２は、インターネット２００を介してカラオケ用ホストサーバ２へアクセスし、カラオケ用ホストサーバ２から受信したデータに基づいて個人用Ｗｅｂページの閲覧・更新を行うための各種処理を実行する。なお、リモコン端末５は、複数のユーザのアカウントごとに並行してシステムにログイン可能に構成されている。
【００４２】
また、表示部５８は、図８（ａ）に例示するように、歌詞テロップなどを表示するための表示エリア（表示領域）を有している。この表示エリアは略長方形に構成され、その短辺の長さがＹ１であり、且つその長辺の長さがＸ１となっている。
【００４３】
また、メモリ５６には、図９（ａ）に例示するようなログイン中のユーザのログインユーザ一覧表、および、図９（ｂ）に例示するような歌詞テロップを表示する際の言語の表示順位表が記憶されている。この表示順位表は、表示順位、表示言語、その表示言語を母国語とするログイン中のユーザ数などが含まれるレコードが登録されている。
【００４４】
［その他の構成の説明］
上述のＬＡＮ１００にはアクセスポイント１１０が接続されている。このアクセスポイント１１０は、無線通信で端末間を接続するための電波中継機であり、複数の端末と同時に通信を行う機能を有する。リモコン端末５とカラオケ用ホストサーバ２とは、このアクセスポイント１１０を中継することによって、ＬＡＮ１００及びインターネット２００上のＶＰＮを介して互いにデータ通信を行うことができる。
【００４５】
ルータ１２０，１３０は、インターネットネット２００等の外部ネットワーク上の通信経路を暗号化して、仮想的に専用回線で接続されている状態を作り出すＶＰＮ技術を利用するためのいわゆるＶＰＮゲートウェイである。ルータ１２０，１３０は、外部ネットワークであるインターネット２００と、内部ネットワークであるＬＡＮ１００及びカラオケ用ホストサーバ２側のネットワークとの接続点にそれぞれ置かれ、内部ネットワークからの通信を暗号化してインターネット２００側に送出する。また、インターネット２００側からの通信を復号化して内部ネットワークへ送出する。
【００４６】
［対応関係の説明］
以上、実施形態のカラオケネットワークシステム１の構成について説明したが、本実施形態におけるカラオケネットワークシステム１の構成と、特許請求の範囲に記載した構成との対応は次のとおりである。
【００４７】
本実施形態のカラオケ用ホストサーバ２及びインターネット用ホストサーバ３が、特許請求の範囲におけるホストサーバ、認証手段および配信手段に相当する。また、カラオケ装置４における制御部１２が予約受付手段、採点履歴情報取得手段、採点手段、および装置側表示制御手段に相当する。また、カラオケ装置４におけるＨＤＤ１６が演奏曲記憶手段に相当する。また、カラオケ装置４におけるモニタ３６が装置側表示手段に相当する。また、リモコン端末５における表示部５８が端末側表示手段に相当する。また、リモコン端末５における制御部５２が端末側表示制御手段に相当する。また、内部ネットワークであるＬＡＮ１００が第一ネットワークに相当し、外部ネットワークであるインターネット２００が第２ネットワークに相当する。
【００４８】
［メイン処理の説明］
以下に、カラオケネットワークシステム１のカラオケ用ホストサーバ２、カラオケ装置４およびリモコン端末５が実行するメイン処理の処理手順を図３のフローチャートに基づいて説明する。
【００４９】
このメイン処理は、図３に示すように、ユーザ登録処理、ユーザログイン処理、カラオケ演奏曲予約処理およびカラオケ演奏曲演奏処理から構成され、カラオケネットワークシステム１のカラオケ用ホストサーバ２、カラオケ装置４およびリモコン端末５がそれぞれ起動している場合に他の処理からは独立して実行される。
【００５０】
［ユーザ登録処理の説明］
以下に、カラオケネットワークシステム１のカラオケ用ホストサーバ２およびリモコン端末５が実行するユーザ登録処理の処理手順を説明する。
【００５１】
まず、リモコン端末５の制御部５２が、ユーザによって操作部６０から入力されたユーザＩＤ、パスワード、ユーザの母国語を含むユーザ情報を受け付け、その受け付けたユーザ情報を、カラオケ装置４を介してカラオケ用ホストサーバ２へ送信する。一方、カラオケ用ホストサーバ２では、リモコン端末５から送信されたユーザ情報を受信した場合には、その受信したユーザ情報を用いてユーザ登録を行う。
【００５２】
［ユーザログイン処理の説明］
以下に、カラオケネットワークシステム１のカラオケ用ホストサーバ２およびリモコン端末５が実行するユーザログイン処理の処理手順を図３および図４のフローチャートに基づいて説明する。
【００５３】
まず、リモコン端末５の制御部５２が、ユーザによって操作部６０から入力されたユーザＩＤを受け付け（Ｓ２０５）、ユーザによって操作部６０から入力されたパスワードを受け付ける（Ｓ２１０）。そして、先のＳ２０５およびＳ２１０にて受け付けたユーザＩＤおよびパスワードを、カラオケ装置４を介してカラオケ用ホストサーバ２へ送信する（Ｓ２１５）。
【００５４】
一方、カラオケ用ホストサーバ２では、リモコン端末５から送信されたユーザＩＤおよびパスワードを受信し（Ｓ２２０）、データベース２ｂが記憶する登録ユーザに関するユーザ情報を参照して、その受信したユーザＩＤに対するパスワードの当否を確認し、その確認結果を、カラオケ装置４を介してリモコン端末５へ送信するとともに（Ｓ２２５）、その確認結果に基づいてそのユーザにログインを許可するか否かを判断する（Ｓ２３０）。そのユーザにログインを許可しない場合には（Ｓ２３０：ＮＯ）、本ユーザログイン処理におけるカラオケ用ホストサーバ２が実行する処理を終了する。一方、そのユーザにログインを許可する場合には（Ｓ２３０：ＹＥＳ）、データベース２ｂが記憶する登録ユーザに関するユーザ情報を参照して、ユーザＩＤに対応する母国語などの個人情報を抽出し、その抽出した個人情報を、カラオケ装置４を介してリモコン端末５に送信し（Ｓ２３５）、本ユーザログイン処理におけるカラオケ用ホストサーバ２が実行する処理を終了する。
【００５５】
一方、リモコン端末５では、カラオケ用ホストサーバ２から送信された、ユーザＩＤに対するパスワードの当否の確認結果を受信し（Ｓ２４０）、その受信した確認結果に基づいてそのユーザにログインが許可されるか否かを判断する（Ｓ２４５）。そのログインが許可されない場合には（Ｓ２４５：ＮＯ）、本ユーザログイン処理におけるリモコン端末５が実行する処理を終了する。一方、そのユーザにログインが許可される場合には（Ｓ２４５：ＹＥＳ）、カラオケ用ホストサーバ２から送信された個人情報を受信し、その受信した個人情報を、メモリ５６が記憶するログインユーザ一覧表に登録する（Ｓ２５０、図９（ａ）参照）。そして、本ユーザログイン処理におけるリモコン端末５が実行する処理を終了する。
【００５６】
［カラオケ演奏曲予約処理の説明］
以下に、カラオケネットワークシステム１のカラオケ装置４およびリモコン端末５が実行するカラオケ演奏曲予約処理の処理手順を図３および図５のフローチャートに基づいて説明する。
【００５７】
まず、リモコン端末５の制御部５２が、ユーザによって操作部６０から入力された指示に基づいてユーザ切替を実行する（Ｓ３１０）。そして、当該ユーザによって操作部６０から入力されたカラオケ演奏曲の曲番号、当該ユーザのユーザＩＤおよび当該ユーザの母国語の種別の入力を受け付け（Ｓ３２０）、その受け付けた曲番号、ユーザＩＤおよび母国語の種別を含む予約情報をカラオケ装置４へ送信する（Ｓ３３０）。そして、本カラオケ演奏曲予約処理におけるリモコン端末５が実行する処理を終了する。
【００５８】
一方、カラオケ装置４では、リモコン端末５から送信された予約情報を受信し、その受信した予約情報を、メモリ４０が記憶する予約リストに登録する（Ｓ３４０、図８（ｂ）参照）。そして、本カラオケ演奏曲予約処理におけるカラオケ装置４が実行する処理を終了する。
【００５９】
［カラオケ演奏曲演奏処理の説明］
以下に、カラオケネットワークシステム１のカラオケ装置４およびリモコン端末５が実行するカラオケ演奏曲演奏処理の処理手順を図６のフローチャートに基づいて説明する。
【００６０】
まず、カラオケ装置４の制御部５８が、次に演奏される予定のカラオケ演奏曲に関する予約情報をメモリ４０が記憶する予約情報の中から抽出し（Ｓ４１０、及びＳ４２０）、その抽出した予約情報に含まれるユーザの母国語の種別と予約情報に含まれる曲番号に対応するカラオケ演奏曲の言語の種別とをリモコン端末５に送信する（Ｓ４３０）。さらに、その曲番号に対応するカラオケ演奏曲の楽曲データをＨＤＤ１６から抽出してカラオケ演奏するとともに、その楽曲データから歌詞データを抽出してモニタ３６に表示させるとともに、抽出した歌詞データをリモコン端末５に送信する（Ｓ４６０）。なお、この歌詞データには、複数言語の歌詞テロップが含まれている。そして、本カラオケ演奏曲演奏処理におけるカラオケ装置４が実行する処理を終了する。
【００６１】
一方、リモコン端末５では、カラオケ装置４から送信された、予約情報に含まれるユーザの母国語の種別と予約情報に含まれる曲番号に対応するカラオケ演奏曲の言語の種別とを受信し（Ｓ４４０）、さらに、現在ログインしている他のユーザの母国語の種別を示す情報をメモリ５６から取得する（Ｓ４５０）。そして、カラオケ装置４から送信された歌詞データを受信しながら、表示部５８の表示エリアに歌詞テロップを表示する歌詞テロップ表示処理を実行する（Ｓ４７０）。なお、歌詞テロップ表示処理については後述する。そして、本カラオケ演奏曲演奏処理におけるリモコン端末５が実行する処理を終了する。
【００６２】
［歌詞テロップ表示処理の説明］
以下に、カラオケネットワークシステム１のリモコン端末５が実行する歌詞テロップ表示処理の処理手順を図７のフローチャートに基づいて説明する。
【００６３】
この歌詞テロップ表示処理は、上述のカラオケ演奏曲演奏処理においてＳ４７０に移行した際に実行される。
まず、表示部５８の表示エリアをその長辺を横方向として使用した場合に、その長辺に沿って各歌詞テロップを並行して表示可能な行数Ｙ２を、式（１）を用いて算出する（Ｓ５１０）。
最大表示行数Ｙ２＝表示エリアの縦方向の長さＹ１／縦方向のフォントサイズ
・・・式（１）
続いて、表示部５８の表示エリアに表示させる歌詞テロップの言語数Ｎを次のように算出する（Ｓ５２０）。すなわち、カラオケ演奏曲の言語も同時に表示部５８に表示するか否かを判断する。カラオケ演奏曲の言語も同時に表示部５８に表示する場合において、現在ログインしているユーザの各母国語の中にカラオケ演奏曲の言語と同一の言語が存在するときには、現在ログインしているユーザの母国語の言語数を、表示部５８の表示エリアに表示させる歌詞テロップの言語数Ｎとする。また、現在ログインしているユーザの各母国語の中にカラオケ演奏曲の言語と同一の言語が存在しないときには、現在ログインしているユーザの母国語の言語数に数値「１」を加算した数値を、表示部５８の表示エリアに表示させる歌詞テロップの言語数Ｎとする。一方、カラオケ演奏曲の言語を表示部５８には表示しない場合において、現在ログインしているユーザの各母国語の中にカラオケ演奏曲の言語と同一の言語が存在するときには、現在ログインしているユーザの母国語の言語数から数値「１」を減算した数値を、表示部５８の表示エリアに表示させる歌詞テロップの言語数Ｎとする。また、現在ログインしているユーザの各母国語の中にカラオケ演奏曲の言語と同一の言語が存在しないときには、現在ログインしているユーザの母国語の言語数を、表示部５８の表示エリアに表示させる歌詞テロップの言語数Ｎとする。
【００６４】
続いて、表示部５８の表示エリアをその長辺を横方向として使用するか否かを判断する（Ｓ５３０）。先のＳ５１０にて算出した最大表示行数Ｙ２が先のＳ５２０にて算出した表示言語数よりも大きい場合には表示部５８の表示エリアをその長辺を横方向として使用することとし（Ｓ５３０：ＹＥＳ）、表示部５８の表示エリアをその長辺を横方向として使用した場合における一言語当たりの表示行数を次の式（２）を用いて算出し、Ｓ５４０に移行する。
一言語当たりの表示行数Ａ＝最大表示行数Ｙ２／表示言語数Ｎ
・・・式（２）
一方、先のＳ５１０にて算出した最大表示行数Ｙ２が先のＳ５２０にて算出した表示言語数よりも小さい場合には表示部５８の表示エリアをその短辺を横方向として使用することとし（Ｓ５３０：ＮＯ）、表示部５８の表示エリアをその短辺を横方向として使用した場合におけるその短辺に沿って各歌詞テロップを並行して表示可能な行数Ｘ２を、式（３）を用いて算出するとともに、一言語当たりの表示行数Ｂを次の式（４）を用いて算出し、Ｓ５６０に移行する。
最大表示行数Ｘ２＝表示エリアの縦方向の長さＸ１／縦方向のフォントサイズ
・・・式（３）
一言語当たりの表示行数Ｂ＝最大表示行数Ｘ２／表示言語数Ｎ
・・・式（４）
続くＳ５６０では、現在ログインしているユーザの各母国語を、最も多くのユーザが母国語とする言語から順に並べ替え（Ｓ５６０）、さらに、次にカラオケ演奏を行うカラオケ演奏曲の予約を行ったユーザの母国語を、最も上位に変更する（Ｓ５７０）。なお、このようにして並べ替えられたユーザの母国語については、図９（ｂ）に例示する表示順位表としてメモリ５６に記憶される。そして、カラオケ装置４から受信した歌詞テロップを、メモリ５６が記憶する表示順位表に登録された言語から順に一言語当たりの表示行数に応じて、表示部５８の表示エリアに並行して表示させる（Ｓ５８０）。そして、本処理を終了する。
【００６５】
［第一実施形態の効果］
（１）このように第一実施形態のカラオケネットワークシステム１によれば、歌詞テロップ表示処理において、歌詞テロップの種別が少ないときにはリモコン端末５の表示部５８の表示エリアをその長辺が横方向となるようにしてその長辺に沿って歌詞テロップを並行して表示させ、歌詞テロップの種別が多いときには上述の表示エリアをその短辺が横方向となるようにしてその短辺に沿って歌詞テロップを並行して表示させる。このことにより、リモコン端末５の表示部５８に表示を所望する歌詞テロップの言語数が多くなっても、それら多くの言語にて構成された歌詞テロップを表示部５８に見やすく表示することができる。換言すれば、認証中のユーザが多いためにそれら認証中のユーザの母国語の種類が多くても、より多くの種別の言語の歌詞テロップを表示することで、カラオケ演奏中のカラオケ演奏曲の歌詞の意味を理解することができ、より多くの認証中のユーザが他のユーザのカラオケ演奏および歌唱を楽しむことができる。
【００６６】
（２）また、第一実施形態のカラオケネットワークシステム１によれば、歌詞テロップ表示処理において、その言語を母国語とする認証中のユーザがより多い言語の歌詞テロップほどリモコン端末５の表示部５８の表示エリアの縦方向における上方となるように配置する。このことにより、例えば認証中のユーザが多いためにそれらユーザの母国語の種類が多くても、その言語を母国語とする認証中のユーザがより多い言語の歌詞テロップほどリモコン端末５の表示部５８の表示エリアの縦方向における上方となるように配置することで、より多くの認証中のユーザが他のユーザのカラオケ演奏および歌唱を楽しむことができる。
【００６７】
（３）また、第一実施形態のカラオケネットワークシステム１によれば、歌詞テロップ表示処理において、リモコン端末５を操作中のユーザの母国語にて構成された歌詞テロップをリモコン端末５の表示部５８の表示エリアの縦方向における上方となるように配置するので、そのユーザがカラオケ演奏および歌唱を楽しむことができる。
【００６８】
（４）また、第一実施形態のカラオケネットワークシステム１によれば、歌詞テロップ表示処理において、カラオケ演奏曲の言語にて構成された歌詞テロップとともに歌唱者の母国語の歌詞テロップをリモコン端末５の表示部５８の表示エリアに表示するので、例えば歌唱者の母国語がカラオケ演奏曲のオリジナル言語とは異なる場合に、歌唱者がそのカラオケ演奏曲を歌いやすくすることができる。
【００６９】
（５）また、第一実施形態のカラオケネットワークシステム１によれば、歌詞テロップ表示処理において、カラオケ演奏曲の言語にて構成された歌詞テロップとともに、その言語を母国語とする認証中のユーザが最も多い言語の歌詞テロップをリモコン端末５の表示部５８の表示エリアに表示するので、その言語を母国語とする認証中のユーザが最も多い言語がカラオケ演奏曲のオリジナル言語とは異なる場合でも、それら多数のユーザがカラオケ演奏および歌唱を楽しむことができる。
【００７０】
［他の実施形態］
以上、本発明の一実施形態について説明したが、本発明は上記実施形態に限定されるものではなく、以下のような様々な態様にて実施することが可能である。
【００７１】
（１）歌詞テロップ表示処理において、カラオケ演奏曲の言語にて構成された歌詞テロップとともに歌唱者の母国語の歌詞テロップをリモコン端末５の表示部５８の表示エリアに表示する際には、歌唱者の母国語の歌詞テロップを、オリジナル言語の歌詞テロップよりも小さい文字でその上方または下方に表示するようにしてもよい。このようにすれば、歌唱者の母国語と同一の言語にて構成された歌詞テロップを見るユーザよりもオリジナル言語にて構成された歌詞テロップを見る認証中のユーザの方が多数である場合でも、それら多数のユーザがカラオケ演奏および歌唱を楽しむことができる。
【００７２】
（２）歌詞テロップ表示処理において、カラオケ演奏曲の言語にて構成された歌詞テロップとともにその言語を母国語とする認証中のユーザが最も多い言語の歌詞テロップをリモコン端末５の表示部５８の表示エリアに表示する際には、その言語を母国語とする認証中のユーザが最も多い言語の歌詞テロップを、オリジナル言語の歌詞テロップよりも小さい文字でその上方または下方に表示するようにしてもよい。このようにすれば、その言語を母国語とする認証中のユーザが最も多い言語がカラオケ演奏曲のオリジナル言語とは異なる場合でも、それら多数のユーザがカラオケ演奏および歌唱を楽しむことができ、且つ歌唱者がそのカラオケ演奏曲を歌いやすくすることができる。
【図面の簡単な説明】
【００７３】
【図１】インターネット２００を利用したカラオケネットワークシステム１の概略構成を示すブロック図である。
【図２】カラオケ店等のカラオケルーム内に設置されているカラオケ装置４及びリモコン端末５のより具体的な構成を示すブロック図である。
【図３】カラオケ用ホストサーバ、カラオケ装置およびリモコンが実行するメイン処理の手順を示すフローチャートである。
【図４】カラオケ用ホストサーバおよびリモコンが実行するユーザログイン処理の手順を示すフローチャートである。
【図５】カラオケ装置およびリモコンが実行するカラオケ演奏曲予約処理の手順を示すフローチャートである。
【図６】カラオケ装置およびリモコンが実行するカラオケ演奏曲演奏時処理の手順を示すフローチャートである。
【図７】リモコンが実行する歌詞テロップ表示処理の手順を示すフローチャートである。
【図８】（ａ）はリモコンの歌詞表示エリアを示す説明図であり、（ｂ）はカラオケ装置が記憶する予約リストを示す説明図である。
【図９】（ａ）はログイン中のユーザの一覧表を示す説明図であり、（ｂ）は歌詞テロップを表示する際の言語の表示順位表を示す説明図である。
【符号の説明】
【００７４】
１…カラオケネットワークシステム、２…カラオケ用ホストサーバ、２ａ…Ｗｅｂサーバ、２ｂ…データベース、３…インターネット用ホストサーバ、３ａ…Ｗｅｂサーバ、４…カラオケ装置、５…リモコン端末、６…ユーザ端末、６ａ…パーソナルコンピュータ（パソコン）、６ｂ…携帯電話、１２…制御部、１４…インタフェース部、１６…ハードディスク（ＨＤＤ）、１８…操作部、２０…赤外線通信部、２２…操作処理部、２４…音声制御部、２６…マイクロフォン、２８…スピーカ、３０…ＭＩＤＩ音源、３２…ビデオＲＡＭ、３４…映像再生部、３６…モニタ、３８…映像制御部、４０…メモリ、５２…制御部、５４…赤外線通信部、５６…メモリ、５８…表示部、６０…操作部、６２…操作処理部、６４…ビデオＲＡＭ、６６…映像制御部、６８…無線ＬＡＮ通信部、１００…ＬＡＮ、１１０…アクセスポイント、１２０，１３０…ルータ、２００…インターネット
【図１】
2008216312.tif 000003
【図２】
2008216312.tif 000004
【図３】
2008216312.tif 000005
【図４】
2008216312.tif 000006
【図５】
2008216312.tif 000007
【図６】
2008216312.tif 000008
【図７】
2008216312.tif 000009
【図８】
2008216312.tif 000010
【図９】
2008216312.tif 000011